(57)【要約】      （修正有）【課題】二輪車の荷かごが平面を有しない場合に適合するかご取付金具を提供する。【解決手段】荷かご４０は、かご取付金具５０とバケツかご７０を有する。かご取付金具５０は、Ｌ字状金具であり、かご取付部５１と、取付板５２とを有し、かご取付部５１は、かご取付穴を有し、取付板５２は、固定穴６２を有し、かご取付部５１が、バケツかご７０の外周の曲面と一致する半径の曲面を有する。バケツかご７０は、胴板７１と底板７２を有し、底板７２は、水抜き穴を有する。かご取付部５１が円弧状曲面でできているので、曲面を有するバケツかご７０を荷かご４０として二輪車に取り付けることができる。【選択図】図２１
0003197763.tif 000002
【実用新案登録請求の範囲】
【請求項１】
外周に曲面を有するかごを取り付けるかご取付部と、
ハンドル軸に固定される取付板とを有し、
かご取付部は、かご取付穴を有し、
取付板は、固定穴を有し、
かご取付部が、かごの外周の曲面と一致する曲面を有することを特徴とするかご取付金具。
【請求項２】
かご取付部は、半径Ｒの曲面を有することを特徴とする請求項１記載のかご取付金具。
【請求項３】
かご取付部は、取付板に対して、かご取付部がハンドル軸に固定された場合にかご取付部がかごの胴板に沿うような角度でＬ字状に曲げられていることを特徴とする請求項１又は２記載のかご取付金具。
【請求項４】
かご取付部と取付板とは直交していることを特徴とする請求項１から３いずれかに記載のかご取付金具。
【請求項５】
曲面を有するかごを移動車に取り付けるかご取付金具であって、
かごの曲面を取り付けるかご取付部を有し、
かご取付部が、かごの外周の曲面と一致する半径Ｒの曲面を有することを特徴とするかご取付金具。
【請求項６】
かご取付金具は、バケツの形状をしたかごを移動車に取り付けることを特徴とする請求項１から５いずれかに記載のかご取付金具。
【請求項７】
かご取付部の円弧の長さが半円より長いことを特徴とする請求項１から６いずれかに記載のかご取付金具。
【請求項８】
かご取付部が円環状であることを特徴とする請求項１から７いずれかに記載のかご取付金具。
【請求項９】
胴板と、
底板とを有するバケツ形状のバケツかごにおいて、
胴板は、かご取付金具を固定する縦長穴を有することを特徴とするバケツかご。
【請求項１０】
胴板と、
底板と、
取っ手とを有するバケツ形状のバケツかごにおいて、
胴板は、縦長穴を有し、
底板は、底穴を有することを特徴とするバケツかご。
【請求項１１】
胴板は、下部に向かって半径が小さくなる円錐台の形状を呈していることを特徴とする請求項９又は１０記載のバケツかご。
【請求項１２】
胴板は、半径が一定の筒状を呈していることを特徴とする請求項９又は１０記載のバケツかご。
【請求項１３】
胴板は、下から７０％のところに環状の補強環を有していることを特徴とする請求項９から１２いずれかに記載のバケツかご。
【請求項１４】
補強環は、胴板の断面が外周側に凸状あるいは山状になったリング部分であることを特徴とする請求項１３記載のバケツかご。
【請求項１５】
胴板は、補強環の真下から、２個の縦長穴を有していることを特徴とする請求項１３又は１４記載のバケツかご。
【請求項１６】
底板は、水抜き穴を有することを特徴とする請求項９から１５いずれかに記載のバケツかご。
【請求項１７】
請求項１から８いずれかに記載のかご取付金具と、
請求項９から１６いずれかに記載のバケツかごと
を備え、
かご取付穴と縦長穴とをボルトとナットで固定したことを特徴とする荷かご。
【請求項１８】
胴板は、かご取付部に固定される部分に、曲面を有していることを特徴とする請求項１７記載の荷かご。
【請求項１９】
請求項１７又は１８記載の荷かごを取り付けたことを特徴とする移動車。
【請求項２０】
ハンドル軸と胴板のハンドル軸に対向している面とは平行であることを特徴とする請求項１９記載の移動車。
【請求項２１】
移動車は、二輪車であることを特徴とする請求項１９又は２０記載の移動車。
【考案の詳細な説明】
【技術分野】
【０００１】
この考案は、例えば、二輪車のかご取付金具と二輪車のかごに関する。
【背景技術】
【０００２】
従来の二輪車のかご取付金具と二輪車のかごは、平面で取り付けるものであった。
【先行技術文献】
【非特許文献】
【０００３】
【非特許文献１】実用新案登録第３１４９９３９号公報
【非特許文献２】意匠登録第１３６５４９０号公報
【非特許文献３】意匠登録第１３６５８６７号公報
【考案の概要】
【考案が解決しようとする課題】
【０００４】
本考案では、平面を有しない場合に適合するかご取付金具や二輪車の荷かごを提供することを目的とする。
【課題を解決するための手段】
【０００５】
かご取付金具５０は、かごを取り付けるかご取付部５１と、
ハンドル軸に固定される取付板５２とを有し、
かご取付部５１は、かご取付穴６１を有し、
取付板５２は、固定穴６２を有し、
かご取付部５１が、バケツかご７０の外周の曲面と一致する曲面を有することを特徴とする。
【０００６】
かご取付部５１は、半径Ｒの曲面を有することを特徴とする。
【０００７】
かご取付部５１は、取付板５２に対して、かご取付部５１がハンドル軸９１に固定された場合にかご取付部５１がバケツかご７０の胴板７１に沿うような角度でＬ字状に曲げられていることを特徴とする。
【０００８】
バケツかご７０は、
胴板７１と、
底板７２と、
取っ手７３とを有するバケツ形状のバケツかご７０において、
胴板７１は、縦長穴８１を有し、
底板７２は、底穴８２を有することを特徴とする。
【０００９】
底板７２は、さらに、水抜き穴８３を有することを特徴とする。
【００１０】
荷かご４０は、
上記かご取付金具５０と、
上記バケツかご７０と
を備え、
かご取付穴６１と縦長穴８１とをボルトとナットで固定したことを特徴とする。
【００１１】
移動車は、上記荷かご４０を取り付けたことを特徴とする。
【考案の効果】
【００１２】
この考案に係るかご取付金具は、かごの曲面に適合する曲面を通しているので、曲面を有するかごを確実に固定することができる。
【図面の簡単な説明】
【００１３】
【図１】実施の形態１のかご取付金具５０の正面図である。
【図２】実施の形態１のかご取付金具５０の背面図である。
【図３】実施の形態１のかご取付金具５０の平面図である。
【図４】実施の形態１のかご取付金具５０の底面図である。
【図５】実施の形態１のかご取付金具５０の右側面図である。
【図６】実施の形態１のかご取付金具５０の左側面図である。
【図７】実施の形態１のかご取付金具５０の斜視図である。
【図８】実施の形態１のバケツかご７０の正面図である。
【図９】実施の形態１のバケツかご７０の背面図である。
【図１０】実施の形態１のバケツかご７０の平面図である。
【図１１】実施の形態１のバケツかご７０の底面図である。
【図１２】実施の形態１のバケツかご７０の右側面図である。
【図１３】実施の形態１のバケツかご７０の左側面図である。
【図１４】実施の形態１のバケツかご７０の斜視図と図１０のＡＡ断面図である。
【図１５】実施の形態１の荷かご４０の正面図である。
【図１６】実施の形態１の荷かご４０の背面図である。
【図１７】実施の形態１の荷かご４０の平面図である。
【図１８】実施の形態１の荷かご４０の底面図である。
【図１９】実施の形態１の荷かご４０の右側面図である。
【図２０】実施の形態１の荷かご４０の左側面図である。
【図２１】実施の形態１の荷かご４０の斜視図である。
【図２２】実施の形態１の荷かご４０の使用状態の図である。
【図２３】実施の形態２のバケツかご７０の平面図である。
【図２４】実施の形態２のバケツかご７０の平面図である。
【図２５】実施の形態２のバケツかご７０の平面図である。
【図２６】実施の形態２のバケツかご７０の平面図である。
【図２７】実施の形態２のバケツかご７０の平面図である。
【図２８】実施の形態３のバケツかご７０の正面図である。
【図２９】実施の形態３のバケツかご７０の正面図である。
【図３０】実施の形態４のかご取付金具５０の平面図である。
【図３１】実施の形態４のかご取付金具５０の平面図である。
【図３２】実施の形態４のかご取付金具５０の平面図である。
【図３３】実施の形態４のかご取付金具５０の平面図である。
【考案を実施するための形態】
【００１４】
図１〜図３３において、破線で示した部分は、一般的な部分であり、実線で示した部分は、特徴的な部分である。
【００１５】
実施の形態１．
図１〜図７は、かご取付金具５０の図である。
かご取付金具５０は、全体としてＬ字に曲げられた金属板であり、かご取付部５１と取付板５２を有している。
【００１６】
かご取付部５１には、両サイドに、かご取付穴６１がある。
取付板５２の一端には、二輪車のハンドル軸に固定される固定穴６２がある。
取付板５２の中央には、意匠穴６３がある。意匠穴６３はなくてもよい。
【００１７】
図８〜図１４は、バケツかご７０の図である。
図１４（ａ）は、バケツかご７０の斜視図である。
図１４（ｂ）は、図１０のバケツかご７０のＡＡ断面図である。
バケツかご７０は、全体としてバケツの形状をしており、胴板７１と底板７２と取っ手７３を有している。
【００１８】
胴板７１は、下部に向かって半径が小さくなる円錐台の形状を呈している。
胴板７１は、下から７０％のところに環状の補強環７４を有している。
補強環７４は、胴板７１の断面が外周側に凸状あるいは山状になったリング部分である。
胴板７１は、補強環７４の真下から、２個の縦長穴８１を有している。
底板７２には、２個の底穴８２と４個の水抜き穴８３がある。
底穴８２は、バケツかご７０を下部から固定する穴である。
水抜き穴８３は、バケツかご７０に貯まった水や埃を下方に抜く穴である。
胴板７１は、垂直方向に対して角度Ａだけ傾いている。
バケツかご７０は、市販のバケツに、穴あけ加工を施して作成することができる。
【００１９】
図１５〜図２１は、かご取付金具５０をバケツかご７０に固定した荷かご４０を示す図である。
かご取付部５１の２個のかご取付穴６１と胴板７１の２個の縦長穴８１とは、２組のボルトとナットにより固定される。
かご取付部５１は、半径Ｒの孤状曲面を有している。
かご取付部５１は、バケツかご７０の半径Ｒを有する補強環７４の真下部分に固定される。
【００２０】
図２２は、バケツ型の荷かご４０の二輪車９０への取付状態を示す図である。
二輪車９０のハンドル軸９１に対して、固定穴６２が固定される。
二輪車９０の下部取付金具９２に対して、底穴８２により底板７２が固定される。
ハンドル軸９１は、垂直方向に対して角度Ａだけ傾いている。
かご取付部５１と取付板５２とは直交しており、ハンドル軸９１と胴板７１のハンドル軸９１に対向している面とは平行である。
縦長穴８１が、縦長である理由は、二輪車９０によっては、ハンドル軸９１への固定穴６２の固定位置が上下にずれるため、固定穴６２の固定位置の上下のずれを、吸収するためである。
【００２１】
以下、好適なサイズの数値について、説明する。
かご取付金具５０の厚さ：３ｍｍ
かご取付金具５０の全長：１０ｃｍ
かご取付金具５０の全高：３．５ｃｍ
かご取付部５１の孤曲面の半径Ｒ：１２．５ｃｍ
かご取付部５１の高さ：２．３ｃｍ
かご取付部５１の底板７２からの取付高さ：１８ｃｍ
かご取付穴６１の縦長：７ｍｍ
かご取付穴６１の横幅：１０ｍｍ
かご取付穴６１の中心の間隔：４５ｍｍ
バケツかご７０の全高：２５ｃｍ
バケツかご７０の開口半径（最大半径）：１４．０ｃｍ  底板７２の半径（最小半径）：１０．５ｃｍ
補強環７４の底板７２からの高さ：１８ｃｍ
縦長穴８１（縦長穴８１）の中心間隔：４５ｍｍ
縦長穴８１の縦長：２０ｍｍ
縦長穴８１の横幅：６ｍｍ
底穴８２の径：６ｍｍ
底穴８２の中心の間隔：２５ｍｍ
水抜き穴８３の中心角：３０度
水抜き穴８３の半径方向の幅：８ｍｍ
水抜き穴８３の半径方向の幅の中央部分の半径：９ｃｍ
【００２２】
なお、かご取付金具５０のサイズは、上記サイズに限らない。
バケツかご７０のサイズも、上記サイズに限らない。
【００２３】
かご取付部５１が円弧状曲面でできているので、曲面を有するバケツかご７０を、荷かご４０として、二輪車に取り付けることができる。
【００２４】
実施の形態２．
図２３〜図２７は、バケツかご７０の平面図である。
図２３〜図２７のバケツかご７０は、図８〜図１４のバケツかご７０と底板７２のみが異なる。
図２３に示すように、水抜き穴８３は、８個でもよい。
図２４に示すように、水抜き穴８３は、内側でもよい。
図２５に示すように、水抜き穴８３は、直線状のスノコ状でもよい。
図２６に示すように、水抜き穴８３は、網目状でもよい。
図２７に示すように、水抜き穴８３は、複数の円形の複数の穴でもよい。
【００２５】
水抜き穴８３の個数は、１個以上あればよい。
水抜き穴８３のパターンは、どのようなパターンでもよく、底板７２は、網状、メッシュ状、格子状でもよい。
【００２６】
実施の形態３．
図２８〜図２９は、バケツかご７０の正面図である。
図２８のバケツかご７０は、図８〜図１４のバケツかご７０と縦横比が異なる。
図２８に示すように、バケツかご７０の深さが変わってもよい。あるいは、バケツかご７０の縦横比が変わってもよい。
図２９のバケツかご７０は、図８〜図１４のバケツかご７０と胴板７１の半径が異なる。
図２９に示すように、バケツかご７０は筒状でもよく、バケツかご７０の胴板７１の半径が一定でもよい。
バケツかご７０は、かご取付部５１に固定される部分に曲面を有していればよく、その他の部分は平面でもかまわない。
【００２７】
実施の形態４．
図３０〜図３３は、かご取付金具５０の平面図である。
図３０〜図３３のかご取付金具５０は、図１〜図７のかご取付金具５０とかご取付部５１の円弧長が異なる。
図３０に示すように、かご取付金具５０のかご取付部５１の円弧の長さが長くてもよい。
図３１に示すように、かご取付金具５０のかご取付部５１の円弧の長さがさらに長くてもよい。
図３２に示すように、かご取付金具５０のかご取付部５１の円弧の長さが半円より長くてもよい。
図３３に示すように、かご取付金具５０のかご取付部５１が円環状でよい。
図３２と図３３の場合は、バケツかご７０を、かご取付部５１の上から下にはめ込むことができるので、バケツかご７０の縦長穴８１とかご取付金具５０のかご取付穴６１とはなくてもよい。
【００２８】
実施の形態５．
かご取付部５１と取付板５２は、直交していなくてもよく。ハンドル軸９１の傾斜と胴板７１の傾斜に適合できる角度であればよい。
二輪車９０は、自転車であるが、三輪車、オートバイ、スクーター等の移動車でもよい。
下部取付金具９２は、なくてもよい。
【符号の説明】
【００２９】
４０  荷かご、５０  かご取付金具、５１  かご取付部、５２  取付板、６１  かご取付穴、６２  固定穴、６３  意匠穴、７０  バケツかご、７１  胴板、７２  底板、７３  取っ手、７４  補強環、８１  縦長穴、８２  底穴、８３  水抜き穴、９０  二輪車、９１  ハンドル軸、９２  下部取付金具。
【図１】
0003197763.tif 000003
【図２】
0003197763.tif 000004
【図３】
0003197763.tif 000005
【図４】
0003197763.tif 000006
【図５】
0003197763.tif 000007
【図６】
0003197763.tif 000008
【図７】
0003197763.tif 000009
【図８】
0003197763.tif 000010
【図９】
0003197763.tif 000011
【図１０】
0003197763.tif 000012
【図１１】
0003197763.tif 000013
【図１２】
0003197763.tif 000014
【図１３】
0003197763.tif 000015
【図１４】
0003197763.tif 000016
【図１５】
0003197763.tif 000017
【図１６】
0003197763.tif 000018
【図１７】
0003197763.tif 000019
【図１８】
0003197763.tif 000020
【図１９】
0003197763.tif 000021
【図２０】
0003197763.tif 000022
【図２１】
0003197763.tif 000023
【図２２】
0003197763.tif 000024
【図２３】
0003197763.tif 000025
【図２４】
0003197763.tif 000026
【図２５】
0003197763.tif 000027
【図２６】
0003197763.tif 000028
【図２７】
0003197763.tif 000029
【図２８】
0003197763.tif 000030
【図２９】
0003197763.tif 000031
【図３０】
0003197763.tif 000032
【図３１】
0003197763.tif 000033
【図３２】
0003197763.tif 000034
【図３３】
0003197763.tif 000035